(57)【要約】【課題】浴室における寛いだ状態を阻害されることなく、ユーザが音声認識結果を確認することが可能な音声認識装置を提供すること。【解決手段】ユーザにより発せられた音声指令に基づいて浴室１０の電気機器７０を制御する音声式浴室電気機器制御システム１２に適用される音声認識装置２０であって、ユーザにより発せられた音声が入力され、当該入力された音声を認識する音声認識部３０と、音声認識部３０の認識結果に基づく情報を表示する情報表示部５０と、音声認識部３０の認識結果に基づく信号を、少なくとも情報表示部５０に出力する出力部４０とを備え、情報表示部５０は、表示の明度、輝度及び色の少なくとも一つを変化させることにより音声認識部３０の認識結果を表示する【選択図】図２
2008250035.tif 000002
【特許請求の範囲】
【請求項１】
ユーザにより発せられた音声指令に基づいて浴室の電気機器を制御する音声式浴室電気機器制御システムに適用される音声認識装置であって、
ユーザにより発せられた音声が入力され、当該入力された音声を認識する音声認識部と、
前記音声認識部の認識結果に基づく信号を出力する出力部と、
前記出力部から前記音声認識部の認識結果に基づく信号を受けて、前記音声認識部の認識結果を表示する情報表示部とを備え、
前記情報表示部は、表示の明度、輝度及び色の少なくとも一つを変化させることにより前記音声認識部の認識結果を表示することを特徴とする音声認識装置。
【請求項２】
前記情報表示部は、表示の明度、輝度及び色の少なくとも一つを、異なる所定周期のパターンで変化させることにより前記音声認識部の異なる認識結果を表示することを特徴とする請求項１に記載の音声認識装置。
【請求項３】
前記情報表示部を浴槽内に設けたことを特徴とする請求項１又は請求項２に記載の音声認識装置。
【請求項４】
予め設定された前記電気機器の所定の作動を対象とする音声指令についての音声認識結果のみを、前記情報表示部における表示の明度、輝度及び色の少なくとも一つの変化により表示することを特徴とする請求項１から請求項３のいずれか一項に記載の音声認識装置。
【請求項５】
前記電気機器の作動状態を検知する作動状態検知手段を有し、
前記作動状態検知手段の検知結果に応じて、前記情報表示部における前記音声認識部の認識結果の表示方法を変更することを特徴とする請求項１から請求項４のいずれか一項に記載の音声認識装置。
【請求項６】
前記音声指令の認識結果の信頼度を算出する信頼度算出手段を有し、
前記情報表示部は、前記信頼度算出手段の算出した信頼度に応じて、表示の明度、輝度及び色の少なくとも一つを変化させることにより前記音声認識部の認識結果を表示することを特徴とする請求項１から請求項５のいずれか一項に記載の音声認識装置。
【発明の詳細な説明】
【技術分野】
【０００１】
本願発明は、ユーザにより発せられた音声指令に基づいて浴室内に設けられた電気機器を制御する音声式浴室電気機器制御システムに適用される音声認識装置に関するものである。
【背景技術】
【０００２】
近年、浴室を単に体を洗う場としてのみでなく心身の緊張をほぐし寛いだ雰囲気で快適な時間を過ごせる場となるよう、浴室に種々の機能を持たせることが提案されている。例えば、浴室にダウンライトやヒーリングライトの照明機器又はテレビやオーディオ等の音響機器を設けて浴室内をリラックスできる雰囲気空間とし、その中で映像や音楽を鑑賞できるようにしたものが提案されている（例えば、特許文献１）。
【０００３】
また、近年、ユーザの発する音声を認識することで浴室内に設置された電気機器を含む建物設備を制御可能とした音声式建物設備制御装置が提案されている（例えば、特許文献２参照）。これにより、操作パネルやリモコンスイッチ等による手動操作を行うことなく浴室電気機器を操作することが可能となるので、操作により寛いだ状態の阻害が抑制され、リラックス感を維持することが可能となる。
【特許文献１】特開２００６−２８８８９５号公報
【特許文献２】特開平１０−２７６４８３号公報
【発明の開示】
【発明が解決しようとする課題】
【０００４】
ところで、従来の音声式浴室電気機器制御装置では、ユーザの発した音声指令が正しく認識できたか否かは、表示パネルにおける文字情報又はスピーカからの音声情報等による報知により行われるのが一般的であった。しかし、表示パネルでの文字情報表示を確認するためには、表示パネルを注視しなければならないので面倒であるとともに、映像を鑑賞していた場合には映像から一時的に視線を外さなければならない。また、認識結果を音声等で報知するものでは耳障りであるとともに、音楽の鑑賞を阻害する原因となる。この他、映像や音楽を鑑賞していない場合であっても、認識結果を確認するために表示パネルを注視したりスピーカからの音声情報を聞いたりすることは、せっかくの浴室での寛いだ状態が阻害される虞がある。
【０００５】
本発明は上記問題に鑑みなされたものであり、ユーザにより発せられた音声指令に基づいて浴室の電気機器を制御する音声式浴室電気機器制御システムに適用される音声認識装置において、浴室における寛いだ状態を阻害されることなく、ユーザが音声認識結果を確認することが可能な音声認識装置を提供することを目的とするものである。
【課題を解決するための手段】
【０００６】
以下、上記課題を解決するのに有効な手段等につき説明する。
【０００７】
請求項１記載の発明では、ユーザにより発せられた音声指令に基づいて浴室の電気機器を制御する音声式浴室電気機器制御システムに適用される音声認識装置であって、ユーザにより発せられた音声が入力され、当該入力された音声を認識する音声認識部と、前記音声認識部の認識結果に基づく信号を出力する出力部と、前記出力部から前記音声認識部の認識結果に基づく信号を受けて、前記音声認識部の認識結果を表示する情報表示部とを備え、前記情報表示部は、表示の明度、輝度及び色の少なくとも一つを変化させることにより前記音声認識部の認識結果を表示することを特徴としている。
【０００８】
これによると、音声認識部において認識された認識結果は、情報表示部における表示の明度、輝度及び色の少なくとも一つを変化させることにより行われる。情報表示部における表示の明度、輝度又は色が変化したことは、情報表示部を注視しなくても確認することが可能である。そのため、表示の明度、輝度又は色の変化により音声認識部の認識結果を表示することで、ユーザは情報表示部を注視することなく音声認識部の認識結果を確認することが可能となる。このため、ユーザが浴室内で寛いでいる場合においても、浴室での寛いだ状態を阻害されることなく音声認識結果を確認することができる。
【０００９】
請求項2に記載の発明では、前記情報表示部は、表示の明度、輝度及び色の少なくとも一つを、異なる所定周期のパターンで変化させることにより前記音声認識部の異なる認識結果を表示することを特徴としている。これにより、変化のパターンを識別することで音声認識部の認識結果を識別することが可能となる。
【００１０】
請求項３記載の発明では、前記情報表示部を浴槽内に設けたことを特徴としている。浴槽内において、表示の明度、輝度及び色の少なくとも一つを変化させることにより、浴槽内に溜まっている湯の水色を変化させることが可能である。浴槽に溜まった湯の水色は浴槽内に居るユーザの目につきやすいため、浴槽内で寛いでいるユーザが音声認識部の認識結果を容易に確認することが可能となる。
【００１１】
請求項４記載の発明では、予め設定された前記電気機器の所定の作動を対象とする音声指令についての音声認識結果のみを、前記情報表示部における表示の明度、輝度及び色の少なくとも一つの変化により表示することを特徴としている。電気機器の中には、テレビや照明装置等、音声指令の内容が実行されたか否かを容易に確認できるものもある。このような電気機器については情報表示部において明度、輝度又は色などの変化による表示をしなくても電気機器の作動変化を見れば、ユーザは音声指令の認識結果を容易に確認することが可能である。一方、空調装置の温度設定等に対する音声指令は、その内容が実行されたか否かを容易には確認しにくい。そこで、例えば、音声指令の内容が実行されたか否かをユーザが容易に確認できない電気機器の音声指令を予め設定しておき、この設定された音声指令の認識結果についてのみ、明度等の変化による表示を行うものとすることができる。これにより、音声指令の内容が実行されたか否かをユーザが容易に確認できる音声指令の認識結果については明度等の変化がユーザの視界に入ることがなく、ユーザの寛いだ状態が阻害されることをより抑制することができる。
【００１２】
請求項５記載の発明では、前記電気機器の作動状態を検知する作動状態検知手段を有し、前記作動状態検知手段の検知結果に応じて、前記情報表示部における前記音声認識部の認識結果の表示方法を変更することを特徴としている。電気機器の作動状態に応じて情報表示部における音声認識部の認識結果の表示方法を変更することで、浴室の状態に応じた適切な表示を行うことが可能となる。すなわち、浴室の状態は、電気機器の作動状態により検知することが可能である。例えば、ヒーリングライトが作動している場合には、浴室内はムードのあるリラックスシーンを演出した空間になっていると考えられる。そして、このような浴室空間に居るユーザは寛いだ状態を妨げられたくないと考えられる。そこで、このような浴室の状態では、表示の明度等の変化により音声認識部の認識結果を表示することで、浴室での寛いだ状態を阻害することなくユーザに音声認識結果を知らせることができる。一方、浴室がリラックスシーンを演出した空間とはなっていないような場合には、情報表示部による文字情報を確認することもユーザが厭わないとも考えられる。したがってこのような浴室の状態では、明度の変化等ではなく、文字情報による表示等を行うことが可能である。
【００１３】
請求項６記載の発明では、前記音声指令の認識結果の信頼度を算出する信頼度算出手段を有し、前記情報表示部は、前記信頼度算出手段の算出した信頼度に応じて、表示の明度、輝度及び色の少なくとも一つを変化させることにより前記音声認識部の認識結果を表示することを特徴としている。音声認識の確実性の度合いに応じて表示輝度の変化の程度を変更したので、認識結果の成否だけでなく認識の程度をユーザに知らせることができる。この結果、例えば、どのように発音すれば正しく認識されるかをユーザが学習すること可能となる。
【発明の効果】
【００１４】
本発明の音声式浴室電気機器制御システムにおいては、情報表示部における表示の明度、輝度及び色の少なくとも一つを変化させることにより、ユーザが発した音声指令の認識結果を表示することとしたので、ユーザは表示装置を注視することなく認識結果を確認することが可能となる。このため、ユーザが浴室内で寛いでいる場合においても、浴室での寛いだ状態を阻害されることなく音声認識結果を確認することができる。
【発明を実施するための最良の形態】
【００１５】
以下、本発明に係る音声式浴室電気機器制御システムを具体化した一実施の形態を図面に基づいて説明する。
【００１６】
図１は音声式浴室電気機器制御システムが導入された浴室を示す図であり、図２は本実施形態に係る浴室電気機器制御システムのブロック図である。図１に示すように、浴室１０には複数の電気機器７０が設けられている。電気機器７０としては、例えば、テレビ７１等のオーディオ機器、浴室１０の主照明７２、ダウンライト７３、ヒーリングライト７４、水中照明装置７５等の照明機器等が設けられている。また図１には図示していないが、浴槽１１に取り付けられてジェット水流を出すジェット噴流バス装置、浴室１０内の換気、乾燥、冷暖房、送風などを行う空調機器等も設けられている。浴室電気機器制御装置６０は、浴室１０の壁面裏側又は天井裏等における所定位置に設けられており、上記各種電気機器７０と電気的に接続されている。また浴室１０の壁面には、ユーザの発する音声を集音する集音手段３１としてのマイクロフォンと、ユーザの発した音声指令の認識結果及び各種電気機器７０の作動状態等が表示される情報表示部５０としての液晶ディスプレイ装置が設けられている。
【００１７】
図２に示すように、浴室電気機器制御システム１２は、音声認識部３０と出力部４０と情報表示部５０とを有する音声認識装置２０、各種電気機器７０及び当該各種電機機器を制御するための電気機器制御装置６０を含んで構成されている。
【００１８】
音声認識部３０は、ユーザの発する音声指令の内容を認識するためのものであり、集音手段３１、変換手段３２及び判断手段３３を含んで構成されている。
【００１９】
集音手段３１はユーザの発する音声を集音するためのものであり、集音手段３１で集音された音声はアナログの音声データとして変換手段３２に入力される。変換手段３２は集音手段３１から入力されたアナログの音声データを適宜増幅等し、デジタルの音声データに変換処理する。そして、変換されたデジタルの音声データは判断手段３３に入力されるようになっている。
【００２０】
判断手段３３は変換手段３２から入力されたデジタルの音声データが各種指令のいずれに対応するかを判断する。具体的には、判断手段３３には各種電気機器７０の各種命令に対応するデータが予め記憶されている。判断手段３３は入力されたデジタル音声データから特徴部分を抽出する。そして、当該特徴部分と各種指令に対応するデータと比較することでユーザの発した音声指令がいずれの指令であるかを判断し、音声指令の内容を認識する。
【００２１】
出力部４０は判断手段３３での判断結果を情報表示部５０及び電気機器制御装置６０に出力する。出力部４０は、入力されたデジタル音声データの特徴部分が予め記憶されているデータと一致した場合（認識成功の場合）には、認識した指令に対応する信号を情報表示部５０及び電気機器制御装置６０に出力する。一方、いずれのデータとも一致しない場合又はユーザが発した音声が不明瞭若しくは小音であったため特徴部分を特定できない場合（認識失敗の場合）には認識に失敗した旨の信号を情報表示部５０に出力する。
【００２２】
情報表示部５０は音声認識部３０による音声認識結果を表示するものである。情報表示部５０は、具体的には、液晶制御部５１、表示部５２及びバックライト５３を有する液晶ディスプレイ装置により構成されている。
【００２３】
液晶制御部５１には、出力部４０から音声認識結果が入力される。そして、入力された信号に基づいて表示部５２及びバックライト５３に制御信号を出力する。具体的には、表示部５２に対しては、文字や図形等の表示内容及び表示輝度を制御するための制御信号を出力する。また、バックライト５３に対しては、その点灯及び消灯を制御するための信号を出力する。表示部５２は、液晶制御部５１からの信号を受けて、音声認識部３０での認識結果に対応する電気機器７０の作動内容を所定の輝度で表示する。また、バックライト５３は液晶の文字等が見えるように表示部５２の背後から照らす。
【００２４】
電気機器制御装置６０には、音声認識部３０の認識結果が出力部４０から入力される。そして、その入力された信号に基づいて対応する電気機器７０に制御信号を出力し、各種電気機器７０を制御する。すなわち、各種電気機器７０は、出力部４０から入力された信号、すなわちユーザによって発せられた音声指令に基づいて制御され、所望の作動をする。
【００２５】
次に、本実施形態に係る浴室電気機器制御システム１２の作動について説明する。
【００２６】
本例では、ダウンライト７３の点灯指令を出した場合の作動を説明する。なお、本例ではヒーリングライト７４の作動指令の場合を説明するが、ヒーリングライト７４以外の他の電気機器７０の作動指令の場合も基本的な作動は同様である。
【００２７】
ユーザが「ヒーリングライトをつけて」と音声で指令を出すと、この音声はマイクロフォン（集音手段）３１により集音され、その集音結果がアナログの音声データとして変換手段３２に入力される。変換手段３２では、このアナログの音声データをデジタルの音声データに変換し、このデジタル音声データを判断手段３３に出力する。判断手段３３においては、入力された音声データがいずれの指令に対応するかが判断される。
【００２８】
この結果、入力された音声データが「ヒーリングライトをつけて」という指令であると認識できた場合には、「ヒーリングライトをつけて」という指令に対応する信号を情報表示部５０及び電気機器制御装置６０に出力する。そして情報表示部５０では、この信号を受けて、図３（ａ）及び（ｂ）の表に対応する表示を行う。すなわち、「ヒーリングライトをつけて」という音声指令が認識された場合には、表示部５２において「ヒーリングライトを動かします」という表示を行うとともに、「点灯１秒、消灯０．５秒を３回繰り返し、その後消灯する」というバックライト５３の制御を行う。また、電気機器制御装置６０はヒーリングライト７４に作動信号を送信し、ヒーリングライト７４を作動させる。
【００２９】
一方、入力された音声データの認識に失敗した場合には、音声認識に失敗した旨を示す信号を情報表示部５０に出力する。そして情報表示部５０では、表示部５２において「認識できませんでした」という表示を行うとともに、「点灯０．２秒、消灯０．２秒を１０回繰り返し、その後消灯する」というバックライト５３の制御を行う。
【００３０】
以上詳述した本実施の形態によれば、以下の優れた効果が得られる。
【００３１】
上記実施形態では、情報表示部５０において文字表示するとともに、バックライト５３を所定のパターンで点灯及び消灯させることで、音声認識部３０において音声指令を認識できたか否かをユーザに知らしている。すなわち、情報表示部５０におけるバックライト５３の点灯及び消灯により、音声指令の認識結果をユーザに知らせている。バックライト５３の点灯及び消灯等の変化は、情報表示部５０を注視しなくても認識することが可能である。このためユーザは、リラックスした雰囲気で映像や音楽を鑑賞している場合等においても、情報表示部５０を注視することなく音声指令の認識結果を知ることができる。この結果、寛いだ状態を阻害されることなく認識結果を知ることが可能となる。また、認識結果を音声等で報知するものでもないため、リラックスした状態を阻害されることも抑制される。
【００３２】
なお、上記実施形態では、所定のパターンでバックライト５３の点灯及び消灯を行うことにより音声認識部３０における音声認識結果をユーザに知らせるようにしたが、完全にバックライト５３を消灯するのではなくバックライト５３の明度変化を繰り返すことで、音声認識部３０における音声認識結果をユーザに知らせるようにしてもよい。また、表示部５２の表示輝度を変化させることにより認識結果を知らせるようにしてもよい。
【００３３】
また、カラー表示が可能なカラー液晶ディスプレイ装置により情報表示部５０を構成し、表示部５２における表示色を変化させることで、音声認識部３０における音声認識結果をユーザに知らせるようにしてもよい。例えば、表示部５２の液晶表示を、音声認識部３０で認識に成功した場合には青色に、認識に失敗した場合には赤色にして表示するようにしてもよい。
【００３４】
また、表示部５２を背後から照らすバックライト５３を寒色系及び暖色系の２種類設け、音声認識部３０の認識結果に応じてバックライト５３の選択を変更するようにしてもよい。例えば、青色及び赤色の２種類のバックライト５３を液晶制御部５１により選択切替可能に設け、音声認識部３０で認識に成功した場合には青色、認識に失敗した場合には赤色のバックライト５３を選択するようにしてもよい。
【００３５】
これらのものにおいても、情報表示部５０を注視することなく、音声認識部３０における音声認識結果をユーザが認識することが可能である。このため、ユーザは寛いだ状態を阻害されることなく、認識結果を知ることが可能となる。
【００３６】
［第２実施形態］
次に本発明を具体化した第２実施形態について、図面を参照しつつ説明する。上記第１実施形態では情報表示部５０としての液晶ディスプレイ装置における表示輝度、明度又は色等を変更することにより音声認識装置２０による認識結果の表示を行ったが、本実施形態では水中照明装置７５による照明で音声認識装置２０の認識結果を表示する。
【００３７】
図４は、本実施形態に係る音声式浴室電気機器制御システム１２のブロック図である。本実施形態では、音声認識結果を示すための専用の情報表示部５０は設けられておらず、浴室１０の電気機器７０として設けられている水中照明装置７５が情報表示部５０の役割を兼ねている。
【００３８】
水中照明装置７５は浴槽１０内の壁面から光照射可能に設けられている。そして、異なる輝度及び色の光を照射することができるように、赤、緑、青、白等の異なる発光色のＬＥＤを備えており、ＬＥＤを発光させることで浴槽１１に溜められた湯の水色を変更し、浴室１０の照明演出を行う。
【００３９】
本実施形態では、音声認識部３０における音声指令の認識結果が、出力部４０から電気機器制御装置６０に出力される。そして、電気機器制御装置６０は、入力された認識結果に応じた電気機器７０に制御信号を出力するとともに、水中照明装置７５に音声認識の結果を表示するための信号を出力する。例えば、「ヒーリングライトをつけて」という音声指令を認識した場合には、電気機器制御装置６０はヒーリングライト７４に点灯信号を出力する。それとともに、水中照明装置７５の発光色を青色にするとともに、点灯１秒、消灯０．５秒を３回繰り返した後、消灯するという作動をさせる。一方、認識に失敗した場合には、水中照明装置７５の発光色を赤色にするとともに、点灯０．２秒、消灯０．２秒を１０回繰り返した後、消灯するという作動をさせる。
【００４０】
本実施形態においても、ユーザは浴槽１１に溜まった湯の水色の変化を確認することで音声指令の認識結果を確認することができる。しかも、浴槽１１に溜まった湯の水色は浴槽１１内に居るユーザの目につきやすいため音声認識装置２０の認識結果をユーザが容易に確認することが可能である。また、水中照明装置７５の発する光の色を変更しても、浴室１０内の雰囲気を大きく損ねることはない。
【００４１】
なお、第１実施形態における液晶ディスプレイ装置による音声認識結果の表示と、本実施形態における水中照明装置７５による音声認識結果の表示とを併用することも勿論可能である。
【００４２】
［第３実施形態］
次に本発明を具体化した第３実施形態について説明する。上記各実施形態では各電気機器７０に対する音声指令の認識結果を情報表示部５０で表示したが、本実施形態では一部の電気機器７０に対する音声指令の認識結果についてのみ情報表示部５０における輝度や色などの変化による表示をする。
【００４３】
電気機器７０の中には、音声指令の内容が実行されたか否かを容易に判断できるものもある。例えば、テレビ７１や照明装置７２，７３等は音声指令の内容が実行された否かは電気機器７０の作動状態を見れば容易に判断可能である。したがって、このような電気機器７０については情報表示部５０において輝度や色などの変化による表示をしなくても、ユーザは音声指令の認識結果を容易に確認することが可能である。一方、空調装置の温度設定等の音声指令については、音声指令の内容が実行されたか否か確認することは容易ではない。
【００４４】
そこで本実施形態では、音声指令の内容が実行されたか否かについて、ユーザが視覚、聴覚等の感覚により容易に確認可能な電気機器７０を対象とする音声指令については情報表示部５０における輝度や色などの変化による音声認識結果の表示を行わない。一方、ユーザが容易には認識できない音声指令については、輝度や色などの変化による音声認識結果の表示を行う。
【００４５】
具体的には、音声認識結果を輝度や色の変化により表示する必要がある電気機器７０のグループと表示する必要がない電気機器７０のグループとを区別して音声認識装置２０に予め記憶しておく。そして、出力部４０から音声認識の結果を受け取った液晶制御部５１は、受け取った音声認識結果の制御対象がいずれのグループに属する電気機器７０かを判断する。そして、音声認識結果を輝度や色などの変化により表示する必要がある電気機器７０のグループに属すると判断した場合には、液晶制御部５１は音声認識結果に対応する電気機器７０の作動内容を表示部５２に表示させるとともに認識成功時のバックライト５３の制御を行う。一方、音声認識結果を輝度や色の変化により表示する必要がない電気機器７０のグループに属すると判断した場合には、液晶制御部５１は音声認識結果に対応する電気機器７０の作動内容の表示のみ行い、バックライト５３の制御は行わない。
【００４６】
なお、バックライト５３の明度変化に代えて、表示輝度や表示色の変化で音声認識結果を確認するようにしてもよいことは勿論である。
【００４７】
本実施形態では、音声指令の内容が実行されたか否かをユーザが容易に確認できない電気機器７０を制御対象とする音声指令の認識結果についてのみ、輝度や色を変化させて音声認識結果を表示させている。すなわち、音声指令の内容が実行されたことを容易に確認できる電気機器７０については表示輝度や色を変化させる表示を行わないので、輝度や色などの変化がユーザの視界に入ることがなく、ユーザの寛いだ状態が阻害されることをより抑制することができる。
【００４８】
なお、本実施形態では、電気機器７０ごとに、音声認識結果を輝度や色の変化により表示する必要があるか否かをグループ分けしたが、各電気機器７０に対する指令ごとにグループ分けしてもよい。例えば、空調装置のオン・オフの指令については音声指令の内容が実行されているかを容易に判断可能であるが、空調装置の設定温度の変更は容易に判断可能ではない。したがって、空調装置についての指令であっても、オン・オフ指令については輝度や色の変化による表示を行わず、設定温度の変更については輝度や色の変化による表示を行うようにしてもよい。
【００４９】
［第４実施形態］
次に本発明を具体化した第４実施形態について説明する。第３実施形態では、音声指令の制御対象等に応じて情報表示部５０における輝度や色の変化による表示をするようにしたが、本実施形態ではユーザが音声指令を出したときの浴室１０の状態に応じて情報表示部５０における輝度や色などの変化による表示をするようにしてもよい。
【００５０】
例えば、ヒーリングライト７４がつけられている場合には浴室１０内はムードのあるリラックスシーンを演出した空間になっていると考えられるため、情報表示部５０を注視することにより音声指令の認識結果を確認することをユーザは好まないと考えられる。したがって、ユーザが寛いだ状態となるように演出された空間となっている場合を予め記憶しておき、そのような空間になっている場合に、情報表示部５０における輝度や色などの変化による表示をする。
【００５１】
浴室１０の状態の検知は、例えば、電気機器制御装置６０から現在作動している電気機器７０の情報を液晶制御部５１に入力することで行うことができる。すなわち、ヒーリングライト７４等の予め設定した電気機器７０が作動しているとする信号が入力された場合には、浴室１０がムードのあるリラックス空間を演出していると判断する。そして、浴室１０の状態がこのような特定の場合のみ、情報表示部５０における輝度や色などの変化による表示をする。一方、浴室１０がリラックス空間を演出していないと判断された場合には、情報表示部５０における文字情報による表示及び音声による報知を行う。
【００５２】
本実施形態では、浴室１０の状態に応じて音声認識結果の情報表示部５０における表示方法を変更することができるので、浴室１０の状態に応じた適切な表示方法を選択することが可能である。例えば、ユーザが寛いだ状態を妨げられたくないような場合のみ表示輝度や色などの変化による表示を行い、他の場合には文字情報による表示や音声による報知を行うこととすることで、状態に応じ適切な報知方法を選択可能となる。
【００５３】
上記実施形態では、電気機器制御装置６０から現在作動している電気機器７０の情報が入力されることにより浴室１０の状態を検知したが、浴室１０の状態の検知方法はこれに限られるものではない。例えば、複数の浴室シーン（浴室状態）に対応するモードを予め設定（記憶）しておき、ユーザにより選択されたモードを検知することにより浴室１０の状態を検知するようにしてもよい。そして、所定のモードに対応する浴室シーンにおいてのみ、音声の認識結果を情報表示部５０における輝度や色の変化による表示を行うようにしてもよい。なお、ユーザによるモードの選択は、音声指令で行うことができ、また、操作パネル等における手動操作で行うこともできる。
【００５４】
［第５実施形態］
次に本発明を具体化した第５実施形態について説明する。上記各実施形態では、音声認識部３０における認識結果は「認識成功」又は「認識失敗」のいずれかとした。一般に音声認識では、例えば、入力される音声データと予めシステムが保持している音モデルとを比較することにより、音声データの時間系列に最も近い音モデルの系列を選ぶという手順を踏んでいる。その際、どの音モデルが尤もらしいかという基準で選択しているが、入力される音声データによっては、選択した音モデルの信頼度が低くなる場合もある。
【００５５】
本実施形態では、音声認識部３０における判断手段３３で音声認識結果の信頼度を算出する。信頼度の算出方法は、公知の様々な方法を用いることが可能である。そして、情報表示部５０の液晶制御部５１には認識の信頼度を含んだ音声認識結果が入力される。液晶制御部５１は音声認識結果に基づいて表示輝度や表示色を変化させるが、この際、信頼度に応じて表示輝度や表示色の変化の程度を変更する。例えば、判断手段３３における音声認識の信頼度を、（１）信頼度９０％以上、（２）信頼度８０％以上９０％未満、（３）信頼度８０％未満の領域に区分し、上記（１）の領域を「認識成功領域」、（２）の領域を「認識成功不確実領域」、（３）の領域を「認識失敗領域」とする。そして、（１）及び（３）の領域の音声認識結果が入力された場合には、それぞれ第1実施形態における認識成功及び認識失敗の表示と同様の表示をする。そして、（２）の領域については認識が不確実であるとの判断であるので点灯パターンは（１）と同様であるが表示の輝度や明度を（１）の場合よりも弱くすることで（１）と区別が可能なようにする。
【００５６】
本実施形態によれば、音声認識の確実性の度合いに応じて表示輝度の変化の程度を変更したので、認識結果の成否だけでなく認識の程度をユーザに知らせることが可能となる。この結果、例えば、どのように発音すれば正しく認識されるかをユーザが学習すること可能となる。
【図面の簡単な説明】
【００５７】
【図１】第１実施形態に係る音声式浴室電気機器制御システムが導入された浴室を示す図である。
【図２】第１実施形態に係る浴室電気機器制御システムのブロック図である。
【図３】第１実施形態に係る情報表示部における表示内容及び制御内容を示す図である。
【図４】第２実施形態に係る浴室電気機器制御システムのブロック図である。
【符号の説明】
【００５８】
１０…浴室、１２…音声式浴室電気機器制御システム、２０…音声認識装置、３０…音声認識部、３１…集音手段、３２…変換手段、３３…判断手段、４０…出力部、５０…情報表示部、５１…液晶制御部、５２…液晶表示部、５３…バックライト、６０…電気機器制御装置、７０…電気機器、７１…テレビ、７２…主照明、７３…ダウンライト、７４…ヒーリングライト、７５…水中照明装置。
【図１】
2008250035.tif 000003
【図２】
2008250035.tif 000004
【図３】
2008250035.tif 000005
【図４】
2008250035.tif 000006